(57)【要約】【課題】多くの電気回路基板を収納する場合でも、発熱により高温となるという問題を起こすことの無いヘッドマウントディスプレイを提供する。【解決手段】ヘッドマウントディスプレイには、スピーカが内蔵された２つのヘッドホーン１、２が設けられている。ヘッドホーン１は、電気回路基板が内部に収納された筐体３に連結され、筐体３に対して回動が可能なようになっている。筐体３には、支持アーム４が回動可能に取り付けられ、支持アーム４の先端部には、使用者の眼に映像を表示する表示部５が取り付けられている。筐体３とヘッドホーン２とは、それぞれ、ヘッドホーン位置調整機構６、７を介して連結部８に連結されている。筐体３の表面積は、その内部に収納される電気回路基板から発生する全熱量を、その表面から放熱させるのに十分な大きさとされている。【選択図】  図１
2008199216.tif 000002
【特許請求の範囲】
【請求項１】
頭部に装着され、装着者の眼に映像を出力するヘッドマウントディスプレイであり、前記装着者の耳に当接するように設けられる２つの耳当て部と、装着者に映像を出力する表示部と、前記表示部を先端部に取り付けて前記装着者の眼前に配置する支持アームと、電気回路基板を収納する筐体を有するものであって、一方の前記耳当て部と前記筐体が、当該ヘッドマウントディスプレイの装着時に頭部に接触する連結部により連結され、又、他方の耳当て部と前記支持アームは、前記筐体と結合されており、前記筐体の表面積は、前記電気回路基板が発生する熱の全てを、前記筐体の表面から放熱可能なような大きさとされていることを特徴とするヘッドマウントディスプレイ。
【請求項２】
前記筐体は、当該ヘッドマウントディスプレイの装着時に、頭部に接触するような大きさとされていることを特徴とするヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ウェアラブルディスプレイと呼ばれている。このようなウェアラブルディスプレイの例は、例えばＷＯ２００４／０６１５１９Ａ１公報（特許文献１）に記載されている。
【０００３】
この映像表示装置は、多くの場合、頭に巻いた形で頭部に装着する構成とされ（ヘッドマウントディスプレイと呼ばれている）、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【特許文献１】ＷＯ２００４／０６１５１９Ａ１公報
【発明の開示】
【発明が解決しようとする課題】
【０００４】
このようなヘッドマウントディスプレイにおいて、最近、多くの電気回路やハードディスク等の記憶装置をその中に収納する試みがなされている。その場合に問題になるのが、これら電気回路類の発熱である。通常、これらの電気回路類の収納場所を、ヘッドホーン内とすることが考えられるが、収納スペースの問題がある他、電気回路類の発熱によりヘッドホーンの温度が上昇し、装着者に不快感を与えるという問題点がある。
【０００５】
これに対する対策として、電気回路類を複数に分け、収納場所を分散させる方法も考えられている。しかしながら、電気回路類を分散配置すると、その間をつなぐ配線が必要となり、かつ、その配線が長くなるとノイズに対して弱くなるという問題点が発生する。冷却ファンにより冷却する方法も考えられるが、動作音が直接耳に到達するという問題の他に、振動が発生するという問題があるので、これらの対策が必要となり実用的では無い。ヒートパイプを使用して、発生する熱を他の部分に逃がすことも考えられるが、製品価格に対する伝熱材のコスト比が高くなり実用的では無い。
【０００６】
本発明はこのような事情に鑑みてなされたものであり、多くの電気回路基板を収納する場合でも、発熱により高温となるという問題を起こすことの無いヘッドマウントディスプレイを提供することを課題とする。
【課題を解決するための手段】
【０００７】
前記課題を解決するための第１の手段は、頭部に装着され、装着者の眼に映像を出力するヘッドマウントディスプレイであり、前記装着者の耳に当接するように設けられる２つの耳当て部と、装着者に映像を出力する表示部と、前記表示部を先端部に取り付けて前記装着者の眼前に配置する支持アームと、電気回路基板を収納する筐体を有するものであって、一方の前記耳当て部と前記筐体が、当該ヘッドマウントディスプレイの装着時に頭部に接触する連結部により連結され、又、他方の耳当て部と前記支持アームは、前記筐体と結合されており、前記筐体の表面積は、前記電気回路基板が発生する熱の全てを、前記筐体の表面から放熱可能なような大きさとされていることを特徴とするヘッドマウントディスプレイである。
【０００８】
前記課題を解決するための第２の手段は、前記第１の手段であって、前記筐体は、当該ヘッドマウントディスプレイの装着時に、頭部に接触するような大きさとされていることを特徴とするものである。
【発明の効果】
【０００９】
本発明によれば、多くの電気回路基板を収納する場合でも、発熱により高温となるという問題を起こすことの無いヘッドマウントディスプレイを提供することができる。
【発明を実施するための最良の形態】
【００１０】
以下、本発明の実施の形態の例について、図を用いて説明する。図１は、本発明の実施の形態の１例であるヘッドマウントディスプレイの概要を示す図である。このヘッドマウントディスプレイには、スピーカが内蔵された２つのヘッドホーン１、２（耳当て部）が設けられている。ヘッドホーン１は、電気回路基板が内部に収納された筐体３に連結され、筐体３に対して回動が可能なようになっている。筐体３には、支持アーム４が回動可能に取り付けられ、支持アーム４の先端部には、使用者の眼に映像を表示する表示部５が取り付けられている。
【００１１】
筐体３とヘッドホーン２とは、それぞれ、ヘッドホーン位置調整機構６、７を介して連結部８に連結されている。連結部８は、ヘッドマウントディスプレイの装着時において頭頂部に接触するように形成されている。ヘッドホーン位置調整機構６とヘッドホーン位置調整機構７はスライド機構であり、これをスライドすることにより、筐体３と連結部８及びヘッドホーン２と連結部８との間隔を調整し、ヘッドマウントディスプレイ装着時のヘッドホーン１とヘッドホーン２の位置、及び支持アーム４の位置を調整するようになっている。連結部８は弾性体であり、ヘッドホーン１とヘッドホーン２とを装着者の耳に押し付けるような付勢力を有している。なお、支持アーム４には外部機器との電気的接続を行うケーブル９が接続されていてもよい。
【００１２】
筐体３の表面積は、その内部に収納される電気回路基板から発生する全熱量を、その表面から放熱させるのに十分な大きさとされている。すなわち、電気回路基板から発生する全熱量をＱ、筐体３の表面での平均熱伝達率をα、筐体３の表面の許容温度をθ、雰囲気温度をｔとし、筐体３の表面積をＡとすると
Ａ≧Ｑ／｛α（θ−ｔ）｝
となるようにされている。これにより、筐体３の表面の温度は、許容温度θ以下に保たれる。又、電気回路類は、１つの筐体内に収納されるので、配線の数を減らすことができると共に、ノイズの影響を受けにくくすることができる。
【００１３】
図２は、本発明の実施の形態の他の例であるヘッドマウントディスプレイの概要を示す図である。図２において図１に示された構成要素と同じ構成要素には、同じ符号を付してその説明を省略することがある。図２に示す例においては、筐体３の必要表面積が大きいので、筐体３が、ヘッドマウントディスプレイの装着時に、頭部に接触するような大きさとされている。その分だけ、連結部８の長さが短くなっている。
【００１４】
さらに、この例においては、図１において示されたヘッドホーン位置調整機構６が設けられていない。筐体３の形状が頭部の形状に合うようにされているためである。そこで、ヘッドホーン１と支持アーム４の、筐体３に対する相対位置を調整して、ヘッドマウントディスプレイ装着時におけるヘッドホーン１と支持アーム４の位置調整を行うようにしている。すなわち、筐体３の内部にスライド機構が設けられ、そのスライド機構にヘッドホーン１と支持アーム４の取付部が設けられて、スライド機構をスライドさせることにより、ヘッドホーン１と支持アーム４とが１体となって、筐体３に対して装着時の上下方向に移動するようにされている。なお、ヘッドホーン１と支持アーム４との取付部は、ヘッドホーン１と支持アーム４とをそれぞれ回動可能なように取り付ける構造となっている。
【図面の簡単な説明】
【００１５】
【図１】本発明の実施の形態の１例であるヘッドマウントディスプレイの概要を示す図である。
【図２】本発明の実施の形態の他の例であるヘッドマウントディスプレイの概要を示す図である。
【符号の説明】
【００１６】
１…ヘッドホーン、２…ヘッドホーン、３…筐体、４…支持アーム、５…表示部、６…ヘッドホーン位置調整機構、７…ヘッドホーン位置調整機構、８…連結部、９…ケーブル
【図１】
2008199216.tif 000003
【図２】
2008199216.tif 000004